(57)【要約】【課題】小型であって、家庭はもとより外出先等であっても簡便、容易に使用でき、膏薬成分による効能も享受することのできる温熱用具の提供を目的とする。【解決手段】温熱用具１は、空気と接して発熱する発熱材３が封入された通気性の袋体２の皮膚との接触面に、膏薬の有効成分を含有する膏薬層５を設けた構成にしてある。また、膏薬の有効成分が、唐辛子粉末、唐辛子エキス、梅粉末、梅エキス、ビワ粉末又はビワエキスから選ばれた１種又は２種以上に由来するものである。更に、膏薬層５が皮膚への粘着性を有することを特徴とするものである。【選択図】      図１
2007136053.tif 000002
【特許請求の範囲】
【請求項１】
空気と接して発熱する発熱材が封入された通気性の袋体の皮膚との接触面に、膏薬の有効成分を含有する膏薬層を設けたことを特徴とする温熱用具。
【請求項２】
膏薬の有効成分が、唐辛子粉末、唐辛子エキス、梅粉末、梅エキス、ビワ粉末又はビワエキスから選ばれた１種又は２種以上に由来する請求項１記載の温熱用具。
【請求項３】
膏薬層が皮膚への粘着性を有することを特徴とする請求項１又は請求項２に記載の温熱用具。
【発明の詳細な説明】
【技術分野】
【０００１】
本発明は、身体に接触させた部位を温める用具に関するものである。
【背景技術】
【０００２】
一般に、お灸や電熱ヒーター等により身体の所定部位を温めることにより頭痛、神経痛、内蔵機能等の改善を図ることが可能となり、癌細胞の消失等にも効果があるとされる温熱療法が利用されている。一方で、基材シートの片面に、温湿布の膏薬成分を含有する接着剤層を設けた温湿布用の膏薬が、腰、肩、肘等の凝り解しや血行促進のために汎用されている。下記特許文献１には、温湿布に関する技術が開示されている。
【０００３】
【特許文献１】特開２００４−８１５５８号公報
【発明の開示】
【発明が解決しようとする課題】
【０００４】
しかしながら、温熱療法の一つであるお灸は低温火傷を起こす恐れがあり、療用時間も極めて短いものであった。また、電熱ヒーターを利用する場合には、治療に大掛かりな装置を必要とし、専門の治療院や病院に出向いて施術を受けなければならないという問題があった。そして、上記した温湿布は肩などの肌に直に張って使用され、含有する温湿布の膏薬成分により皮膚が刺激されて温暖感を覚えるが、当該部位の体温は実際にはほとんど上昇することがなく、上記したお灸や電熱ヒーターによる温熱療法の温度に達するものではなかった。
【０００５】
本発明は、上記した従来の問題点に鑑みてなされたものであって、小型であって、家庭はもとより外出先等であっても簡便、容易に使用でき、膏薬成分による効能も享受することのできる温熱用具の提供を目的とする。
【課題を解決するための手段】
【０００６】
上記目的を達成するために、本発明に係る温熱用具は、空気と接して発熱する発熱材が封入された通気性の袋体の皮膚との接触面に、膏薬の有効成分を含有する膏薬層を設けたことを構成にしてある。
【０００７】
また、前記した構成において、膏薬の有効成分が、唐辛子粉末、唐辛子エキス、梅粉末、梅エキス、ビワ粉末又はビワエキスから選ばれた１種又は２種以上に由来するものである。
【０００８】
更に、前記した各構成において、膏薬層が皮膚への粘着性を有することを特徴とするものである。
【発明の効果】
【０００９】
本発明に係る温熱用具によれば、発熱体が封入された袋体の皮膚との接触面に膏薬層を設けたので、身体の所定部位に温熱用具を接触させて当該部位を温める際、膏薬層に含まれている膏薬の有効成分が皮膚表面から体内に浸透する。これにより膏薬による各種効能が得られる。また、発熱材によって当該部位の温度が実際に上昇するために上記各種効能が更に大きな相乗効果をもたらすこととなる。更に、本発明にかかる温熱用具は小型、軽量であり大掛かりな装置を必要とせず、家庭はもとより外出先等でも簡便、容易に温熱及び膏薬による効能を享受することができる
【００１０】
膏薬の有効成分として唐辛子エキス、唐辛子粉末、梅エキス、梅粉末、ビワエキス又はビワ粉末から選ばれた１種又は２種以上に由来する場合には、唐辛子、梅、又はビワの各々の特徴的な効能を享受できる。
【００１１】
また、膏薬層が皮膚への粘着性を有する場合は、温熱用具を身体の所定部位に容易に密着させることができ、膏薬層に含まれる膏薬の有効成分を効率よく皮膚内部に浸透させることができる。
【発明を実施するための最良の形態】
【００１２】
本発明の最良の実施形態を図面に基づいて説明する。尚、以下に述べる実施形態は本発明を具体化した一例に過ぎず、本発明の技術的範囲を限定するものでない。ここに、図１は本発明の一実施形態に係る温熱用具の縦断面図である。
図１において、この実施形態に係る温熱用具１は、例えば縦１０ｃｍ横１４ｃｍの矩形状の袋体２の皮膚との接触面に膏薬層５が塗布により設けられ、袋体２の内部に鉄粉、活性炭等の空気と接して発熱する発熱材３が封入されている。また、膏薬層５には膏薬の有効成分が含まれており、更に、粘着付与材も含まれているために皮膚への粘着性を有している。そして、膏薬層５の表面に剥離シート６が貼着されている。これらの温熱用具１及び剥離シート６は非通気性外袋４に収容されている。
【００１３】
袋体２内に封入される発熱剤３は、一般に知られる、酸素と接して発熱するように配合された組成物であればよく、例えば、鉄粉５０重量部以上６０重量部以下、活性炭５重量部以上１０重量部以下、木粉１重量部以上５重量部以下、水２０重量部以上２５重量部以下、塩類２重量部以上５重量部以下を含むものとする。
【００１４】
袋体２は、合成樹脂製不織布の外装（図示せず）と多孔質ポリエチレンフィルム等の多孔質合成樹脂フィルムの内装（図示せず）との積層体とし、積層体の厚さは、例えば、３０μｍ以上２００μｍ以下、好ましくは５０μｍ以上１００μｍ以下とする。袋体２の皮膚と接触しない面は、適度な通気性を有するよう調整された素材を用いる。発熱材３の温度が必要以上に上昇し、温熱用具１を肌に直接長時間貼った場合に当該部位が低温火傷とならないようにするためである。具体的には３８度以上４３度以下程度の温度を例えば１２時間程度維持できるよう調整を行う。このため、例えば、多孔質合成樹脂フィルムの孔径は１μｍ以上５μｍ以下とする。また、空気１００ｃｃがフィルムを通気する秒数（秒／１００ｃｃ）（王研（王子製紙（株）研究所）式透気度測定装置（旭精工（株）製王研式透気度専用機）によって測定）で表される通気量は３０，０００秒／１００ｃｃ以上５０，０００秒／１００ｃｃ以下とする。
【００１５】
前記膏薬層５の基材を構成する組成物としては、一般に市販されている膏薬に使用されるものであれば特に限定されないが、例えば、ポリアクリル酸、ポリアクリル酸ナトリウム、寒天、ゼラチン、アルギン酸ナトリウム、カルボキシメチルセルロース、ポリビニルアルコールなどの親水性基剤、グリセリンやプロピレングリコールなどの保湿剤、精製水などの湿潤溶解剤、カオリン、ベントナイト、酸化亜鉛、塩化アルミニウムなどの無機充填剤、架橋剤、天然ゴムや合成ポリイソプレンゴム、ポリイソブチレンなどのゴム系油性ポリマー、流動パラフィン、ポリブテン、液状ポリイソブチレン、動植物油などの軟化剤、パインタールなどの粘着付与剤、老化防止剤、等々が調合されたものが挙げられる。膏薬層５の厚さは５μｍ以上２００μｍ以下程度が好ましく、更に、１０μｍ以上５０μｍ以下程度がより好ましい。
【００１６】
尚、上記組成物の中でも、ポリアクリル酸等の親水性基剤、天然ゴムや合成ポリイソプレンゴム等のゴム系油性ポリマー、流動パラフィンなどの軟化剤、パインタールなどの粘着付与剤等は皮膚への粘着性を発生させるために構成される成分である。
【００１７】
そして、膏薬層５に含まれる膏薬の有効成分としては、市販の膏薬に常用されている、インドメタシン、フェルビナク、ケトプロフェン、ピロキシカム、サリチル酸メチル、Ｌメントール等が挙げられる。更には、唐辛子エキス、唐辛子粉末、梅エキス、梅粉末、ビワエキス、又はビワ粉末の由来成分を用いることができる。前記各種エキス及び粉末は、唐辛子エキス、唐辛子粉末、梅エキス、梅粉末、ビワエキス、ビワ粉末として市販されているものを使用するか、又は、それぞれ唐辛子、梅、及びビワから抽出したものか、あるいは唐辛子、梅肉、ビワの葉又は種子を粉砕後採取したもの等を用いる。前記の唐辛子エキス及び粉末は膏薬層５の基材に対し、０．０１〜５重量％を添加する。唐辛子由来の成分が０．０１重量％より少ない場合は温感が弱く、所要の温感刺激効果が得られない。また、５重量部を超えると、発熱材３による発熱作用と相まって、温熱用具１を接触させた部位の皮膚がかぶれや痛み等の炎症を起こしてしまう。また、梅エキス及び梅粉末は膏薬層５の基材に対し、１０〜２０重量％を添加する。更に、ビワ粉末及びビワエキスも同様に膏薬層５の基材に対し、１０〜２０重量％を添加する。梅及びビワ由来の成分が１０重量部より少ない場合には梅及びビワを含ませた効果が激減し、２０重量部より多い場合には膏薬層５の粘度が低くなりすぎて皮膚に接触させるとべたべたした感触となってしまう。
【００１８】
膏薬層５の上面に剥離シート６が被着されている。剥離シート６は一般に市販されているものを使用することができる。即ち、ポリエステル、ナイロン、ポリプロピレン、ポリエチレン、塩化ビニル等の樹脂フィルム、アルミ箔、紙等に、シリコン系等の離型処理を施したものであり、厚さは２０μｍ以上１５０μｍ以下程度のものが使用される。
【００１９】
非通気性外袋４は酸素遮断性を有する例えば塩化ビニリデンフィルム、ポリエチレン、及びエチレン酢酸ビニル共重合体の積層体等で構成されたもので四辺の端部が完全にシールされ、空気を遮断している。
【００２０】
引続き、温熱用具１の動作につき、以下に説明する。前記構成より成る温熱用具１を非通気性外袋４から取り出すと、空気が袋体２内に入り発熱体３に接触して発熱材３を発熱させる。そうして膏薬層５に被着された剥離シート６を剥離して身体の所定部位の皮膚に温熱用具１を直接接触させると当該部位が温られめる。この際、膏薬層５に含まれている膏薬の有効成分が皮膚表面から体内に浸透する。これにより、膏薬による各種効能が得られ、また、発熱材３によって当該部位の温度が実際に上昇するために上記各種効能が更に大きな効果をもたらすこととなる。更に、本発明にかかる温熱用具１は小型であり大掛かりな装置を必要とせず、家庭はもとより外出先等でも簡便、容易に温熱及びエキスや粉末による効能を享受することができる
【００２１】
特に、膏薬の有効成分として唐辛子エキス又は唐辛子粉末の由来成分を用いた場合、唐辛子エキス又は唐辛子粉末には、辛み成分である「カプサイシン」が含まれているため、血液の流れをよくして当該部位の痛みやコリをやわらげる。また、カプサイシンは脂肪分解ホルモンの分泌を促進して酸素消費量を増加させたり、体温を上昇させるなどの効果があり、発熱材３による当該部位の温熱による効能を更に効果的に行うことができる。
【００２２】
また、膏薬の有効成分として梅エキス、又は梅粉末の由来成分を用いた場合、梅エキス、又は梅粉末には、クエン酸、リンゴ酸などの有機酸類やミネラルが非常に高い割合で含まれているために、身体の免疫機能を強化することが可能であり、アルカリ性食品としての薬効や効能を付与することができる。
【００２３】
更に、膏薬の有効成分としてビワエキス、又はビワ粉末の由来成分を用いた場合、ビワエキス、又はビワ粉末には、ぶどう糖、ショ糖、加糖、マルトース、でん粉、デキストリン、酒石酸、クエン酸、リンゴ酸、アミグダリン、タンニン酸などがビワの種子、葉に特に多く含まれている。中でも、アミグダリン（ビタミンB17）は温められて、体内に浸透した場合に、癌細胞の中に多量に含まれているベータ・グルコシターゼという特殊酵素によって加水分解され、青酸とベンツアルデヒドとが遊離することとなる。しかし、癌細胞は当該二成分の相乗毒素によって破壊されて消失することが判明しており、現実に癌治療薬としての臨床応用もなされている。また、アミグダリンは腰痛、肩こり、冷え性、皮膚炎、高血圧、糖尿病、リウマチに対する効能がある他、血液をアルカリ性にする血液浄化作用さえもある。更に、アミグダリンは種子に多く含まれ、即ち、ビワの種子にはビワの葉の数百倍のアミグダリンが含有されているため、本来利用価値がなく生ゴミなどとして廃棄されていたビワの種子を有効利用することができる。
【００２４】
また、上記構成のように粘着付与剤を含有する膏薬層５が皮膚への粘着性を有するので、温熱用具１を身体の所定部位に容易に密着させることができ、膏薬層５に含有されるエキスあるいは粉末を効率よく皮膚内部に浸透させることができる。
【００２５】
尚、上記の実施形態では、温熱用具１を縦１０ｃｍ、横１４ｃｍの矩形状としたが、これらに限定されず身に着けられる程度のものであれば、他の大きさ、形状であってもよい。また、袋体２の皮膚と接触しない面を合成樹脂製不織布及び多孔質フィルムの積層体で構成したが、多孔質フィルムに替えて多孔質でない異種の合成樹脂を合成樹脂不織布と積層させたもの等を用いてもよい。異種の合成樹脂としては、例えば、ナイロン、ポリエチレン、ポリプロピレン、ＥＶＡ等が挙げられる。この場合袋体２は気密性が高くなってしまうため、袋体２の皮膚との接触面と反対の面には通気性を付与するよう微小な孔を所定数穿設して使用する。かかる構造の場合はコストが低く抑えられてよい。
【００２６】
また、図２に示した温熱用具１ａのように、膏薬層５ａが皮膚への粘着性を有しないものであってもよい。この場合には膏薬層５ａに剥離シート６を被着させる必要がないため、膏薬層５ａと非通気性外袋４が直に接するような構造にできる。また、袋体２の皮膚との接触面に膏薬層５，５ａを設ける際、袋体２の外面と膏薬層５，５ａとの間に合成樹脂製、又は紙製等のシートを介在させてもよい。
【実施例】
【００２７】
以下に本発明の実施例を示す。
直鎖状低密度ポリエチレンと炭酸カルシウムを混合し延伸して得られる厚さ８０μｍ多孔質フィルムと、ポリプロピレンスパンボンド不織布（ストラガード ＧＮ２０４０：出光ユニテック（株）製）とを、ポリアミド系ホットメルト接着剤を用いて貼り合わせて積層体を製造した。
【００２８】
前記積層体を２枚重ね合わせて、その間に発熱材３を入れ、この重ね合わせた積層体の四方を市販されるヒートシール機により、シール条件を１２０℃としてヒートシールして貼り合わせ、縦１０ｃｍ、横１４ｃｍの発熱部材を調製した。なお、発熱材３の組成は、鉄粉６ｇ、活性炭０．７ｇ、塩化ナトリウム０．３ｇ、メタケイ酸ナトリウム０．１ｇ、木粉０．２ｇ、吸水性樹脂０．３ｇ及び水３．４ｇの混合物（計１１．０ｇ）とした。
【００２９】
膏薬層４は、スチレン−イソプレン−スチレンテレブロック共重合体１００重量部、スチレン−イソプレン共重合体１０重量部、流動パラフィン１５０重量部、ロジン変性マレイン酸樹脂５０重量部及びビワエキス５４重量部を窒素ガス気流中で１４０〜１５０℃に加熱し溶解させた。膏薬層４に含まれるビワエキスは圧潰したビワ種をエタノールなどの溶媒で慣用の抽出処理により得たものである。前記した溶解物（約１５０℃）を約１２０℃まで冷却した後、サリチル酸メチル３０重量部、Ｌメントール２１重量部を添加・混合して均一なものとした。これを展延機を用いて前記袋体２の皮膚との接触面上に厚さ約１mmに展延して、膏薬層５とした。この膏薬層５を、ナイロン製シートにシリコン系の離型処理を施した厚さ５０μｍの剥離シート６で被い、塩化ビニリデンフィルム、ポリエチレン、及びエチレン酢酸ビニル共重合体の積層体で構成された非通気性外袋４内に封入した。
【００３０】
以上のようにして得られた温熱用具１を発熱させ、身体の所定部位に貼り合わせると、発熱材３によって当該部位の体温が上昇すると共に膏薬成分による効能が享受できた。特に、膏薬層５に含まれているビワ種子由来のビワエキス中のアミグダリンにより腰痛等各種効能がえられるとともに、本来利用価値がなく生ゴミなどとして廃棄されていたビワの種子を有効利用することができた。
【図面の簡単な説明】
【００３１】
【図１】本発明の一実施形態に係る温熱用具の縦断面図である。
【図２】本発明の他の実施形態に係る温熱用具の縦断面図である。
【符号の説明】
【００３２】
１，１ａ  温熱用具
２  袋体
３  発熱材
５，５ａ  膏薬層
６  剥離シート
【図１】
2007136053.tif 000003
【図２】
2007136053.tif 000004